(57)【要約】【課題】  左右レンズの識別が容易に行えるカップを提供する。左右の間違いをより低減できるカップ取付け装置及び眼鏡レンズ加工装置を提供する。【解決手段】  左右を識別するために、左眼レンズ用のカップと右眼レンズ用のカップとで異なる色が付されている。カップ取付け装置は、左右の選択信号に基づいて左右のカップの色にそれぞれ対応した色の左右識別情報を表示する表示手段を備える。眼鏡レンズ加工装置は、左右の選択信号に基づいて左右のカップの色にそれぞれ対応した色の左右識別情報を表示する表示手段を備える。【選択図】      図１
2008105151.tif 000002
【特許請求の範囲】
【請求項１】
眼鏡レンズ加工装置が持つレンズチャック軸に眼鏡レンズを保持させるために、眼鏡レンズの表面に固定されるレンズ固定用カップにおいて、
左眼レンズ用と右眼レンズ用とで識別するために、左眼レンズ用のカップと右眼レンズ用のカップとで異なる色が付されていることを特徴とするレンズ固定用カップ。
【請求項２】
請求項１のレンズ固定用カップにおいて、左右識別のために付される色は、前記レンズチャック軸が備えるカップホルダより露出する部分に少なくとも付されていることを特徴とするレンズ固定用カップ。
【請求項３】
眼鏡レンズ加工装置が持つレンズチャック軸に眼鏡レンズを保持させるためのカップを眼鏡レンズに取り付けるカップ取付け装置において、
左眼レンズ用と右眼レンズ用とで識別するために左眼レンズ用のカップと右眼レンズ用のカップとに異なる色が付されたカップであって、該カップを取り付ける眼鏡レンズが左右の何れであるかを選択する左右選択手段と、該左右選択手段の選択信号に基づいてカップの固定が左右の何れであるかを識別する情報を表示する左右識別表示手段であって、前記識別情報を左右の選択信号に基づいて左右のカップの色にそれぞれ対応した色にて表示する左右識別表示手段と、を備えることを特徴とするカップ取付け装置。
【請求項４】
レンズ固定用カップが取り付けられた眼鏡レンズをレンズチャック軸にて保持し、保持された眼鏡レンズの周縁を加工する眼鏡レンズ加工装置において、
眼鏡レンズには左眼レンズ用と右眼レンズ用とで識別するために左眼レンズ用のカップと右眼レンズ用のカップとに異なる色が付されたカップがそれぞれ取り付けられ、
レンズ周縁加工装置は、加工するレンズが左右の何れであるかを選択する左右選択手段と、該左右選択手段の選択信号に基づいて加工するレンズが左右の何れであるかを識別する情報を表示する左右識別表示手段であって、前記識別情報を左右の選択信号に基づいて左右のカップの色にそれぞれ対応した色にて表示する左右識別表示手段と、を備えることを特徴とする眼鏡レンズ加工装置。
【発明の詳細な説明】
【技術分野】
【０００１】
本発明は、眼鏡レンズの表面に固定されるレンズ固定用カップ、このカップを眼鏡レンズ表面に取り付けるカップ取付け装置（軸打ち機）、及び眼鏡レンズ加工装置に関する。
【背景技術】
【０００２】
眼鏡レンズの周縁加工においては、眼鏡レンズ周縁加工装置が持つ２つのレンズチャック軸により保持された眼鏡レンズの周縁が、粗砥石により粗加工さた後、仕上げ加工砥石等により仕上げ加工される（特許文献１参照）。２つのレンズチャック軸にレンズを保持させる際には、レンズの表面に固定されたカップの基部を一方のレンズチャック軸が持つカップホルダに装着し、もう一方のレンズチャック軸をレンズ側に移動させてレンズを保持させる。また、カップは、カップ取り付け装置によりレンズの光学中心又は玉型の幾何中心に取り付けられる（特許文献２参照）。
【０００３】
ところで、レンズの周縁加工においては、左右の眼でレンズ度数（球面度数、乱視度数、乱視軸）が異なる場合には、左右のレンズを間違えずに加工することが重要である。このために作業者は左右の取り違いに細心の注意を払っている。この対応として、従来においては、レンズ表面にペン等で左右を識別するためのマーク又は文字などを施すことが一般的に行われている。
【０００４】
また、カップの基部に凹部や穴を形成したものと、これらが形成されてない２種類のカップを用意し、右眼用と左眼用で使い分けて左右を識別可能にしたカップも提案されている（特許文献３参照）。
【特許文献１】特開平１１−３３３６８４号公報
【特許文献２】特開２００１−６２６８８号公報
【特許文献３】特開平８−２５２７５４号公報
【発明の開示】
【発明が解決しようとする課題】
【０００５】
しかしながら、レンズ表面にペンでマーク等を施す方法は、マークを施す作業及びそのマークを消す作業が伴い、作業者の負担となる。また、最近は、撥水コーティングされたレンズも多くあり、このレンズにはマーク自体を付けることができない。
カップの基部に凹部や穴を形成して識別する方法は、左右のカップの形状を大きく変えることができないため、凹部や穴は小さく、一見しての識別が容易でない。
またさらに、カップ取付け装置によるレンズへのカップの固定時及び加工装置によるレンズの加工時には、左右の取り違いをより低減することが望まれる。
【０００６】
本発明は、左右レンズの識別が容易に行えるレンズ固定用カップを提供することを技術課題とする。また、レンズへのカップの固定時、レンズ周縁の加工時に、左右の間違いをより低減できるカップ取付け装置及び眼鏡レンズ加工装置を提供することを技術課題とする。
【課題を解決するための手段】
【０００７】
本発明は上記課題を解決するために、次のような構成を備えることを特徴とする。
【０００８】
（１）  眼鏡レンズ加工装置が持つレンズチャック軸に眼鏡レンズを保持させるために、眼鏡レンズの表面に固定されるレンズ固定用カップにおいて、左眼レンズ用と右眼レンズ用とで識別するために、左眼レンズ用のカップと右眼レンズ用のカップとで異なる色が付されていることを特徴とする。
（２）  （１）のレンズ固定用カップにおいて、左右識別のために付される色は、前記レンズチャック軸が備えるカップホルダより露出する部分に少なくとも付されていることを特徴とする。
（３）  眼鏡レンズ加工装置が持つレンズチャック軸に眼鏡レンズを保持させるためのカップを眼鏡レンズに取り付けるカップ取付け装置において、左眼レンズ用と右眼レンズ用とで識別するために左眼レンズ用のカップと右眼レンズ用のカップとに異なる色が付されたカップであって、該カップを取り付ける眼鏡レンズが左右の何れであるかを選択する左右選択手段と、該左右選択手段の選択信号に基づいてカップの固定が左右の何れであるかを識別する情報を表示する左右識別表示手段であって、前記識別情報を左右の選択信号に基づいて左右のカップの色にそれぞれ対応した色にて表示する左右識別表示手段と、を備えることを特徴とする。
（４）  レンズ固定用カップが取り付けられた眼鏡レンズをレンズチャック軸にて保持し、保持された眼鏡レンズの周縁を加工する眼鏡レンズ加工装置において、眼鏡レンズには左眼レンズ用と右眼レンズ用とで識別するために左眼レンズ用のカップと右眼レンズ用のカップとに異なる色が付されたカップがそれぞれ取り付けられ、レンズ周縁加工装置は、加工するレンズが左右の何れであるかを選択する左右選択手段と、該左右選択手段の選択信号に基づいて加工するレンズが左右の何れであるかを識別する情報を表示する左右識別表示手段であって、前記識別情報を左右の選択信号に基づいて左右のカップの色にそれぞれ対応した色にて表示する左右識別表示手段と、を備えることを特徴とする。
【発明の効果】
【０００９】
本発明によれば、左右レンズの識別が容易に行える。また、レンズへのカップの固定時、加工装置によるレンズの加工時においても、左右の間違いをより低減できる。
【発明を実施するための最良の形態】
【００１０】
以下、本発明の実施の形態を図面に基づいて説明する。図１は、本発明に係るカップ取付け装置（軸打ち機）及び眼鏡レンズ加工装置の外観略図である。
＜カップ取り付け装置＞
カップ取り付け装置１の構成を、図１及び図２を使用して説明する。図２は、装置１に配置される光学系、ブロッキング機構部及び制御系の概略構成図である。
【００１１】
カップ取付け装置１は側方視が略コの字状をした筐体を持つ。装置１の前側に張り出した下部の台座１ａの上面には、透明アクリルからなる円形のレンズテーブル１０がリング部材１１によって取付けられている。レンズテーブル１０には被加工レンズＬＥが載置される。レンズテーブル１０上には被加工レンズＬＥを支持するための、３個の支持ピン１２がカップ取付けの基準軸Ｌ１を中心にして等間隔で植設されている。
【００１２】
台座１ａの手前側前面には、後述するブロッキング機構部３０を作動させるスイッチ２ａが配置されている。また、被加工レンズの左右を選択するスイッチ２ｂが配置されている。装置１の前側に張り出した張出上部１ｂの下面と台座１ａとの間は、レンズＬＥを手で持ってレンズテーブル１０上で移動操作するためと、カップ取付けアーム３１の先端に取付けられたカップ２５が昇降可能とするために、適当な空間が確保されている。
【００１３】
装置１には、レンズテーブル１０に置かれたレンズＬＥを照明し、レンズＬＥの光学中心、乱視軸角度を検出する検出光学系９が設けられている。検出光学系９は、次のように構成される。
【００１４】
レンズテーブル１０の後方近傍に照明光源２０が配置され、張出上部１ｂに配置されている。凹面鏡２１は、照明光源２０からの照明光を被加工レンズＬＥより一回り大きな径の略平行光束に整形するミラー曲面を持ち、略平行にされた照明光束が検出光学系９の基準軸Ｌ１に沿って投光されるように配置されている。
【００１５】
レンズテーブル１０の中央には、基準軸Ｌ１を中心に所定のパターンを持つ指標部１３が形成されている。指標部１３は格子状に配置されたドット指標からなり、そのドット指標は直径０．３ｍｍの大きさのものがカップ取付けの基準軸Ｌを中心にする２０ｍｍ四方の範囲で０．３ｍｍピッチ間隔に配置されている。レンズテーブル１０の下方には、すりガラス等の半透明の材質で作られたスクリーン板１４が配置されている。レンズＬＥを透過した光束はレンズテーブル５上の指標部１３を照明する。スクリーン板１４にはレンズＬＥの全体像、及びレンズＬＥのプリズム作用を受けたドット指標像が投影される。スクリーン板１４の下方にはミラー１５が配置されており、ミラー１５の反射方向には第１ＣＣＤカメラ１７が設けられている。この第１ＣＣＤカメラ１７はスクリーン板１４に投影された指標像を検出できるように、基準軸Ｌ１を中心にした中央領域のみを拡大して撮像するレンズを持つ。ミラー１５と第１ＣＣＤカメラ１７の間の光路にはハーフミラー１６が配置され、その反射方向に第２ＣＣＤカメラ１８が設けられている。この第２ＣＣＤカメラ１８はスクリーン板５に投影されるレンズＬＥの全体像を撮像するレンズを持つ。
【００１６】
第１ＣＣＤカメラ１７により得られるドット指標像の画像から、レンズＬＥの光学中心位置及び乱視軸方向を求める方法を簡単に説明する。レンズＬＥが載置されていない場合には、指標部１３のドット指標は平行光束により照明されるので、スクリーン板１４にはそのまま指標像が投影される。屈折力を持つレンズＬＥが載置されると、レンズＬＥの光学中心付近の直下に位置するドット像は、レンズＬＥの有無に拘わらず位置が同じであるが、光学中心でない部分のドット像はレンズＬＥのプリズム作用により座標位置が移動する。よって、光学中心を検出するには、レンズＬＥの無い状態での各ドット像の座標位置に対して、レンズＬＥが載せられた状態における各ドット像の座標位置の変化を調べ、各ドット像がどの位置を中心に拡散又は収束しているかを求める。すなわち、この拡散又は収束の中心が光学中心として検出できる。
【００１７】
また、レンズＬＥが乱視度数を持つ場合、各ドット像はレンズの母線に向かう方向（又は離れる方向）に移動する。よって、レンズＬＥのない状態での各ドット像の座標位置に対して、各ドット像がどの方向に移動しているかを調べることにより、乱視軸方向が検出される。
【００１８】
図２において、ブロッキング機構部３０は、カップ２５の基部が装着されるカップホルダ３１ａが配置されたアーム３１と、アーム３１を図２に示すＹ軸方向に移動させるＹ軸方向移動ユニット３２と、Ｙ軸方向移動ユニット３２と共にアーム３１を上下方向（Ｚ軸方向）に移動させるＺ軸方向移動ユニット３４と、Ｚ軸方向移動ユニット３４と共にアーム３１を装置１に向かって左右方向（Ｘ軸方向）に移動させるＸ軸方向移動ユニット３６とを備える。これら移動ユニット３２，３４，３６は、それぞれスライド機構及びモータ等を持つ周知の移動機構で構成できる。カップホルダ３１ａは、上下方向に延びる軸中心に回転可能にアーム３１に取り付けられている。Ｙ軸方向移動ユニット３２には、カップホルダ３１ａを回転するためのモータが配置された駆動ユニット３８が配置され、駆動ユニット３８による回転の駆動力は、アーム３１内に配置された回転伝達機構（ギヤ、回転シャフト等で構成される）により、カップホルダ３１ａに伝達される。カップホルダ３１ａが上下軸を中止に回転されることにより、レンズＬＥの乱視視角度に応じてカップ２５の固定角度が調整される。
【００１９】
装置１の後方には、眼鏡枠形状測定ユニット５が配置されている。装置１の上面には、第２ＣＣＤカメラ１８に撮像されたレンズ像や各種の情報を表示するカラー液晶ディスプレイ３、眼鏡枠形状測定ユニット５の操作スイッチ部４が配置されている。ディスプレイ３はタッチパネル機能を持つ。
【００２０】
眼鏡枠形状測定ユニット５、ディスプレイ３、検出光学系のＣＣＤカメラ１７，１８、ブロッキング機構部３０の移動ユニット３２，３４，３６等は、制御部５０に接続されている。制御部５０は、ＣＣＤカメラ１７からの出力信号を基にレンズＬＥの光学中心位置及び乱視軸方向を求める。また、制御部５０は、各ユニットの駆動、ディスプレイ３の表示を制御する。
＜眼鏡レンズ加工装置＞
眼鏡レンズ加工装置２００の構成を、図１及び図３を使用して説明する。図３は、装置内部の加工機構の概略構成図である。
【００２１】
加工装置２００のベース１７０上にはキャリッジ部１００が搭載され、キャリッジ１０１が持つレンズチャック軸（レンズ回転軸）１０２Ｌ，１０２Ｒに挟持された被加工レンズＬＥの周縁は、砥石スピンドル１６１ａに取り付けられた砥石群１６２に圧接されて加工される。砥石群１６２は、プラスチック用粗砥石１６２ａ、ヤゲン形成用の溝及び平坦加工面を持つ仕上げ用砥石１６２ｂ及び鏡面仕上げ用砥石１６２ｃ、ガラス用粗砥石１６２ｄから構成される。砥石スピンドル（砥石回転軸）１６１ａは、モータ１６０により回転される。
【００２２】
キャリッジ１０１の左腕１０１Ｌにレンズチャック軸１０２Ｌが、右腕１０１Ｒにレンズチャック軸１０２Ｒが、それぞれ回転可能に同軸に保持されている。レンズチャック軸１０２Ｒは、右腕１０１Ｒに取り付けられたモータ１１０によりレンズチャック軸１０２Ｌ側に移動され、レンズＬＥが２つのレンズチャック軸１０２Ｒ，１０２Ｌにより保持される。また、２つのレンズチャック軸１０２Ｒ，１０２Ｌは、左腕１０１Ｌに取り付けられたモータ１２０により、ギヤ等の回転伝達機構を介して同期して回転される。レンズチャック軸１０２Ｌの先端側には、レンズＬＥに固定されたカップ２５の基部が装着されるカップホルダ１３０が固定されている。レンズチャック軸１０２Ｒの先端側には、レンズＬＥの後面に当接されるレンズ押え部材１３５が固定されている（図６参照）。
【００２３】
キャリッジ１０１は、レンズチャック軸１０２Ｒ，１０２Ｌ及び砥石スピンドル１６１ａと平行に延びるシャフト１０３，１０４に沿って移動可能なＸ軸移動支基１４０に搭載されている。支基１４０の後部には、シャフト１０３と平行に延びる図示なきボールネジが取り付けられており、ボールネジはＸ軸移動用モータ１４５の回転軸に取り付けられている。モータ１４５の回転により、支基１４０と共にキャリッジ１０１がＸ軸方向に直線移動される。
【００２４】
また、支基１４０には、Ｙ軸方向（レンズチャック軸１０２Ｒ，１０２Ｌと砥石スピンドル１６１ａの軸間距離が変動される方向）に延びるシャフト１５６，１５７が固定されている。キャリッジ１０１はシャフト１５６，１５７に沿ってＹ軸方向に移動可能に支基１４０に搭載されている。支基１４０にはＹ軸移動用モータ１５０が固定されている。モータ１５０の回転はＹ軸方向に延びるボールネジ１５５に伝達され、ボールネジ１５５の回転によりキャリッジ１０１はＹ軸方向に移動される。
【００２５】
図３において、加工装置２００の手前側に面取り機構部１８０が配置されている。キャリッジ１０１の上方には、レンズコバ位置測定部（レンズ形状測定部）３００Ｆ、３００Ｒが設けられている。キャリッジ部１００の後方には、穴加工・溝掘り機構部１９０が配置されている。これらの構成は、周知のものが使用されるので、ここでは説明を省略する。
【００２６】
図１において、加工装置２００の上面には、タッチパネル機能を持つカラーディスプレイ２１０と、操作スイッチパネル２２０と、レンズの左右の識別情報を表示する表示手段としての赤色のＬＥＤ２３０Ｒ、緑色のＬＥＤ２３０Ｌが配置されている。２０１は、加工装置１の上面に配置された開閉扉である。
【００２７】
図４は、加工装置２００の制御系ブロック図である。ディスプレイ２１０、操作スイッチパネル２２０、ＬＥＤ２３０Ｒ，２３０Ｌ、キャリッジ部１００の各モータ、砥石回転用のモータ１６０等は、制御部２５０に接続されている。また、カップ取り付け装置１は制御部２５０に接続され、データの送受信が行われる。
＜レンズ固定用カップ＞
図５は、レンズＬＥの表面に固定されるレンズ固定用治具としてのカップ２５の構成図である。図６は、レンズチャック軸１０２Ｌが持つカップホルダ１３０の構成と、レンズＬＥを保持させるときの説明図である。
【００２８】
カップ２５は、右眼用レンズに固定されるカップ２５Ｒと、左眼用レンズに固定されるカップ２５Ｌと、により区別されて使用される。カップ２５Ｒとカップ２５Ｌとは、基本的に形状は同一であり、左右を識別するために、それぞれ外部に付される色のみが異なる。このため、図５及び図６においては、カップ２５Ｒ及びカップ２５Ｌの構成要素に同符号を付している。カップ２５Ｒ，２５Ｌは、カップホルダ１３０の挿入穴１３１ａに挿入される基部２５ａと、鍔部２６を持つ。基部２５ａにはキー溝２５ｂが形成されている。このキー溝２５ｂがカップホルダ１３０の挿入穴１３１ａに形成されたキー１３１ｂに嵌め合わされることにより、レンズＬＥの乱視軸角度とレンズチャック軸１０２Ｌ（１０２Ｒ）の回転角とを一定の関係にして、レンズＬＥを保持させることができる。また、基部２５ａには、レンズの上下位置を決めるための切り欠き２５ｃが形成されている。鍔部２６には、カップホルダ１３０に位置合わせして回転ズレを軽減するための凹凸部２６ａが基部２５ａの回りに形成されている。カップホルダ１３０の端部にも、凹凸部２６ａに嵌合する凹凸部が形成されている。レンズＬＥが固定されたカップ２５Ｒ又は２５Ｌの基部２５ａをカップホルダ１３０に装着した後、レンズチャック軸１０２Ｒをレンズ側に移動させることにより、レンズ押え部材１３５がレンズ後面に当接し、レンズＬＥが２つのレンズチャック軸１０２Ｒ，１０２Ｌにより保持される。
【００２９】
なお、カップ取付け装置１が持つカップホルダ３１ａの構造についても、カップホルダ１３０と同様に、挿入穴、キーが形成されている。その形状はカップホルダ１３０と同様であるので、説明を省略する。
【００３０】
カップ２５Ｒとカップ２５Ｌに付される異なる色については、見た目に両者の違いが分かりやすいように、好ましくは、カップ２５Ｒの全体が赤色で作成され、カップ２５Ｌの全体が緑色で作成される。カップ２５Ｒ，２５Ｌが樹脂で一体成形される場合は、樹脂の素材にそれぞれ赤色と緑色の着色剤を混ぜておくば、簡単に全体に異なる色を付すことができる。また、カップの成形後に色を付しても良い。また、色を付す部分は、カップ２５Ｒ，２５Ｌの全体に付すことが見た目に識別しやすく好ましいが、視認が容易な場所であれば、部分的に付しても良い。例えば、基部２５ａより面積の広い鍔部２６が好ましい。
【００３１】
また、カップ２５Ｒ，２５Ｌの鍔部２６は、カップホルダ１３０（カップホルダ３１ａ）の径より大きなサイズを持ち、少なくとも、カップホルダ１３０（カップホルダ３１ａ）から露出される鍔部２６の部分にそれぞれ異なる色が付されていることが好ましい。こうすれば、基部２５ａをカップホルダ１３０，カップホルダ３１ａに装着した後も、外部から色の違いを容易に識別できる。鍔部２６の端部は２ｍｍ程の厚みで形成されているので、ここにも色が付されていれば、カップホルダ１３０，カップホルダ３１ａに装着した後であっても、側面から容易に色を確認できる。
【００３２】
次に、上記のようなカップ２５Ｒ，２５Ｌを使用したカップ取り付け装置１及び加工装置２００の動作を説明する。初めに、左右のレンズにそれぞれカップ２５Ｒ，２５Ｌをカップ取り付け装置１により固定する動作を説明する。
【００３３】
眼鏡枠形状測定ユニット５により眼鏡枠の左右のレンズ枠形状を測定する。測定された眼鏡枠形状データは、メモリ６に記憶される。ディスプレイ３の画面には、図７に示すような入力画面が表示される。この画面にて、レンズＬＥが左右一対で管理される作業番号を入力する必要がある旨が表示されるので、作業者は作業番号入力欄６１を押して表示されるテンキーにより作業番号（ＪＯＢ番号）を入力しておく。また、この画面にて加工条件選択欄６２の各キーを操作することにより、レンズの材質、レンズの種類（単焦点レンズ、二重焦点レンズ等）、加工モード等の加工条件を入力できる。また、レイアウト入力欄６５の各キーを操作してレイアウトデータを入力することができる。玉型データ、加工条件及びレイアウトデータ等は、作業番号に関連付けてメモリ５１に記憶される。
【００３４】
また、作業者は、カップ２５Ｒ又は２５Ｌを取り付けるレンズＬＥが左右何れであるかを、左右選択キー６３Ｒ，６３Ｌで選択する。左右の選択は、スイッチ２ｂによっても選択できる。ここで、右眼用レンズが選択されると、その選択信号に基づいて制御部５０の制御により、キー６３Ｒの表示エリアがカップ２５Ｒに付された赤色に対応して同色（近似色の場合も含む）の赤色に表示される。選択されていない方のキー６３Ｌの表示は、レイアウト画面６４の背景と同色とされる。一方、左眼用レンズが選択されると、制御部５０の制御により、キー６３Ｌの表示エリアがカップ２５Ｌに付された緑色に対応した同色（近似色も含む）の緑色に表示される。ディスプレイ３上のキー６３Ｒ及びキー６３Ｌの表示エリアは、カップ２５Ｒ，２５Ｌの色に違いに対応した色にて左右の識別情報を表示する左右表示手段として使用される。作業者は、キー６３Ｒ，キー６３Ｌの表示色とカップ２５Ｒ，２５Ｌの色の対応関係を確認することにより、右眼用の選択時には赤色のカップ２５Ｒをカップホルダ３１ａに取り付け、左眼用の選択時には緑色のカップ２５Ｌをカップホルダ３１ａに取り付けることができる。
【００３５】
このとき、カップホルダ３１ａから露出される鍔部２６の部分にも色が付されているため、カップホルダ３１ａにカップ２５Ｒ又は２５Ｌが装着された後も、その色を視認でき、ディスプレイ２１０の左右識別用の表示色との対応関係により、左右何れのカップ２５Ｒ又は２５Ｌが装着されているかを容易に確認できる。
【００３６】
なお、左右のカップの色にそれぞれ対応した色にて左右の識別情報を表示する手段としては、キー６３Ｒ，キー６３Ｌの表示色を変える他、その背景の色を全体又は部分的に変える方法でも良い。例えば、キー６３Ｒ，キー６３Ｌが表示されるレイアウト画面６４の背景を、右眼用が選択されたときに赤色で表示し、左眼用が選択されたときに、緑色の表示に変える。大きな面積の色が選択されたカップの色に対応することにより、視覚的に左右の選択状況が把握しやすくなる。さらに、カップの色に対応した左右識別情報の表示は、ディスプレイ３の表示に限らず、他の表示器を設けても良い。例えば、ブロックキング開始のスイッチ２ａ、左右の選択スイッチ２ｂの近傍に、赤色のＬＥＤ５３Ｒと緑色のＬＥＤ５３Ｌを配置し、これを左右表示手段として使用することもできる。すなわち、右眼用のレンズが選択されたときは、その選択信号に対応して赤色のＬＥＤ５３Ｒが点灯され、左眼用のレンズが選択されたときは、その選択信号に対応して緑色のＬＥＤ５３Ｒが点灯される。
【００３７】
レイアウトデータの入力を説明する。図７の画面では、レイアウト入力欄６５の各キーを押して、ＦＰＤ（左右のレンズ枠の幾何中心間距離）、ＰＤ（瞳孔間距離）、玉型の幾何中心に対するレンズの光学中心高さ、等のレイアウトデータを入力することができる。また、レンズＬＥの処方データの乱視軸角度が入力でき、レンズのブロック中心が光心（光学中心）か枠心（玉型の幾何中心）かを選択できる。
【００３８】
左右のレンズＬＥへのカップの取付を説明する。例えば、キー６３Ｌにより左眼用レンズが選択されたとする。作業者は、左眼用のレンズＬＥの中央部を３個の支持ピン１２の中心付近に載せると、スクリーン板１４に投影された指標像が第１ＣＣＤカメラ１７により撮像され、制御部５０によりレンズＬＥの光学中心及び乱視軸方向が検出される。レイアウト画面６４には、玉型図形ＦＴが表示されると共に、検出された光学中心を基に光学中心マークＭＦＯが表示される。また、入力された乱視軸角度と検出された乱視軸角度とを基に、玉型図形ＦＴの水平方向の向きが変えられる。検出光学系９により検出されたレンズの光学中心及び乱視軸角度が表示されることにより、作業者は基準軸Ｌ１のカップ取付け中心を基準にレンズＬＥを移動させてアライメントを行うことができる。本実施形態の装置においては、レンズＬＥを移動させる代わりに、ブロッキング機構部３０のアーム３１が制御部５０に制御により３次元的に移動されると共に、カップホルダ３１ａが回転されてブロッキングの軸角度が自動的に変えられる。
【００３９】
ブロッキングのスイッチ２ａが押されると、制御部５０は検出光学系９により検出されたレンズの光学中心及びレイアウトデータに基づいてブロッキング機構部３０の各移動ユニットを制御してアーム３１を移動させる。また、検出光学系９により検出された乱視軸角度と入力された乱視軸角度に基づいてカップホルダ３１ａに装着されたカップ２５Ｌ（２５Ｒ）を回転させる。アライメント位置が決定されると、制御部５０はアーム３１を下降させる。これにより、レンズＬＥの表面に選択されたカップ２５Ｌ又は２５Ｒが固定される。このようにして、作業者は左右一対のレンズＬＥにそれぞれカップ２５Ｌ，２５Ｒを取り付ける。なお、本実施形態のカップ２５Ｒ，２５Ｌは、粘着両面テープを介在させてレンズＬＥとカップ２５Ｌ（２５Ｒ）とを固定するタイプであるが、鍔部２６が吸着ゴムとされたタイプであっても良い。
【００４０】
次に、加工装置２００によるレンズ加工を説明する。図８は、ディスプレイ２１０に表示されるデータ入力画面の例である。作業番号入力欄２１２を押して表示されるテンキーにより作業番号を入力すると、制御部２５０により、カップ取付け装置１のメモリ５１から作業番号に対応した玉型データ及びレイアウトデータ等が呼び出され、加工装置２００側のメモリ２５１に記憶される。呼び出されたレイアウトデータ及び加工条件データを基に、画面下部の各表示欄が設定される。また、画面上部には、右眼用の玉型図形ＦＴＲと左眼用の玉型図形ＦＴＬが表示され、さらにそれぞれの玉型の幾何中心ＦＣ、光学中心ＭＦＯが図形表示される。なお、レイアウトデータ、加工条件データは加工装置２００側で入力することもできる。
【００４１】
図８において、画面上部には、加工するレンズＬＥの左右が何れでるかを選択する手段としての左右選択キー２１４Ｒ，２１４Ｌが表示されている。加工に際して、作業者が右眼用のキー２１４Ｒを押すと、制御部２５０によるディスプレイ２１０の表示制御により、キー２１４Ｒの表示エリアが赤色で表示される。また、右眼用の玉型図形ＦＴＲ内の色が赤色で表示される（近似色の場合も含む）。右眼の選択状態では、左眼選択用のキー２１４Ｌ及び左眼用の玉型図形ＦＴＬ内は、画面の背景と同色で固定とされる。一方、加工に際して、作業者が左眼用のキー２１４Ｌを押すと、キー２１４Ｌの表示エリアが緑色で表示され、同時に、左眼用の玉型図形ＦＴＬ内の色が緑色で表示される（近似色の場合も含む）。そして、左眼の選択状態では、右眼選択用のキー２１４Ｒ及び左眼用の玉型図形ＦＴＲ内は、画面の背景と同色で固定とされる。
【００４２】
作業者は、これらの色とレンズＬＥの固定されたカップ２５Ｒ，２５Ｌの色とを確認することにより、レンズチャック軸１０２Ｒ，１０２Ｌに保持させるべきレンズＬＥが何れであるかを、視覚的に容易に確認できる。すなわち、右眼が選択されたときには、その選択キー２１４Ｒの表示エリア及び右眼用の玉型図形ＦＴＲ内が赤色で表示されるため、この色と対応した赤色のカップ２５Ｒが取り付けられたレンズＬＥをレンズチャック軸１０２Ｌのカップホルダ１３０に装着すれば良い。左眼が選択されたときには、その選択キー２１４Ｌの表示エリア及び玉型図形ＦＴＬ内が緑色で表示されるため、この色と対応した緑色のカップ２５Ｌが取り付けられたレンズＬＥをカップホルダ１３０に装着すれば良い。これにより、レンズＬＥの左右の取り間違いミスを大きく低減できる。また、左右の選択に基づいて表示される左右識別情報としての選択キー２１４Ｒ，２１４Ｌの表示エリア、玉型図形ＦＴＲ，ＦＴＬ内の表示色が、カップ２５Ｒ，２５Ｌの色分けに対応した色にて表示されているいため、視認性が大幅に改善され、左右の識別が容易にできる。
【００４３】
右眼用レンズの加工に際しては、右眼用レンズＬＥに取り付けられたカップ２５Ｒの基部をカップホルダ１３０に装着する。このとき、カップホルダ１３０から露出される鍔部２６の部分にも赤色が付されているため、カップホルダ１３０にカップ２５Ｒが装着された後も、その色を容易に視認でき、ディスプレイ２１０の左右識別用の表示色との対応関係を確認することにより、安心できる。操作スイッチパネル２２０に配置されたチャックスイッチ２２０ａを押すと、制御部２５０の制御により、レンズチャック軸１０２Ｒがレンズ側に移動され、レンズＬＥがチャッキングされる。
【００４４】
なお、左右のカップの色にそれぞれ対応した色にて左右の識別情報を表示する手段としては、キー２１４Ｒ，キー２１４Ｌの表示色を変える他、画面下半分の色を全体又は部分的に変える方法でも良い。またさらに、カラーディスプレイ２１０とは別に他の表示器を使用しても良い。例えば、チャックスイッチ２２０ａの近傍に赤色のＬＥＤ２３０Ｒ及び緑色のＬＥＤ２３０Ｌが配置されており、左右の選択信号に対応して、右眼が選択されたときには赤色のＬＥＤ２３０Ｒが点灯され、左眼が選択されたときには緑色のＬＥＤ２３０Ｌが点灯される。レンズをチャッキングするときは、通常、スイッチ２２０ａが操作されるので、その近傍にＬＥＤ２３０Ｒ，２３０Ｌが配置されていれば、その色を作業ルーチンの中で確認できるので、都合が良い。
【００４５】
レンズのチャッキング後、操作スイッチパネル２２０の加工スタートスイッチが押されると、始めにレンズＬＥの形状が玉型データに基づいて測定される。続いて、キャリッジ部１００の各モータが制御され、レンズチャック軸１０２Ｒ，１０２Ｌに保持されたレンズＬＥの周縁が粗砥石１６２ａにより粗加工された後、仕上げ用砥石１６２ｂにより仕上げ加工される。ヤゲン加工が設定されている場合は、レンズのコバ位置形状に基づいてヤゲン計算がなされ、ヤゲン仕上げ加工が行われる。また、溝掘り加工が設定されている場合は、レンズＬＥの周縁が平加工仕上げされた後、穴加工・溝掘り機構部１９０により溝掘り加工が行われる。穴加工の指定がある場合は、レンズＬＥの周縁が平加工仕上げされた後、穴加工・溝掘り機構部１９０により穴加工が行われる（特開２００３−１４５３２８号公報参照）。
【００４６】
右眼用レンズの加工が終了したら、作業者は選択キー２１４Ｌにより左眼用レンズの加工を選択し、緑色のカップ２５Ｌが取り付けられたレンズＬＥをレンズチャック軸１０２Ｒ，１０２Ｌに保持させ、同様にレンズＬＥの周縁を加工させる。この場合も、キー２１４Ｌ，玉型図形ＦＴＬ内の表示色とカップ２５Ｌの色の対応関係を確認することにより、左右の間違いを軽減することができる。
【図面の簡単な説明】
【００４７】
【図１】カップ取付け装置及び眼鏡レンズ加工装置の外観略図である。
【図２】カップ取付け装置に配置される光学系、ブロッキング機構部及び制御系の概略構成図である。
【図３】加工装置内部の加工機構の概略構成図である。
【図４】加工装置の制御系ブロック図である。
【図５】レンズの表面に固定されるカップの構成図である。
【図６】レンズチャック軸が持つカップホルダの構成と、レンズを保持させるときの説明図である。
【図７】カップ取り付け装置の入力画面例である。
【図８】加工装置のデータ入力画面例である。
【符号の説明】
【００４８】
１  カップ取り付け装置
３  ディスプレイ
２５Ｒ，２５Ｌ  カップ
３０  ブロッキング機構部
３１ａ  カップホルダ
５０  制御部
５３Ｒ，５３Ｌ  ＬＥＤ
６３Ｒ，６３Ｌ  左右選択キー
１０２Ｌ，１０２Ｒ  レンズチャック軸
１３０  カップホルダ
２００  眼鏡レンズ加工装置
２１０  ディスプレイ
２１４Ｒ，２１４Ｌ  左右選択キー
２３０Ｒ，２３０Ｌ  ＬＥＤ
２５０  制御部
【図１】
2008105151.tif 000003
【図２】
2008105151.tif 000004
【図３】
2008105151.tif 000005
【図４】
2008105151.tif 000006
【図５】
2008105151.tif 000007
【図６】
2008105151.tif 000008
【図７】
2008105151.tif 000009
【図８】
2008105151.tif 000010